(57)【要約】      【課題】  拡大鏡レンズやルーペ等に用いるレンズを保持枠に弾性マウントを介して組み付けする場合に、簡単な構造で脱落なく確実に保持するようにする。      【解決手段】  弾性マウント１１の外周部に３つの係合突部１１ｃを等間隔に配設し、弾性マウント１１の内周部にレンズ収容溝１３を形成する。レンズ収容溝１３と係合突部１１ｃとを同一の面Ｃ上に配置する。係合突部１１ｃをレンズ装着孔１０に弾性係合し、係合突部１１ｃの圧縮応力を弾性マウント１１の半径方向内側に付与して弾性マウント１１の一部を膨出変形部分１１ｄとしてレンズ収容溝１３に膨出変形させる。膨出変形部分１１ｄでレンズ収容溝１３内に収容された拡大レンズ７の外周部を弾持する。      【選択図】  図１
2008096649.tif 000002
【特許請求の範囲】
【請求項１】
レンズの外周部に環状の弾性マウントを装着し、該弾性マウントを剛性体でなる保持枠のレンズ装着孔に収容して、前記レンズを弾性マウントを介して保持枠に保持するレンズのマウント構造において、
前記弾性マウントの外周部に係合突部を３つ以上等間隔に配設し、
前記弾性マウントの内周部にレンズ収容溝を形成し、
該レンズ収容溝と前記係合突部とを内外同一面上に配置するとともに、
前記係合突部を前記レンズ装着孔に弾性係合させて、該係合突部の圧縮応力を弾性マウントの半径方向内側に付与して弾性マウントの一部を前記レンズ収容溝内に膨出変形させ、該膨出変形部分にて前記レンズ収容溝内に収容されたレンズの外周部を弾持する
ことを特徴とするレンズのマウント構造。
【請求項２】
前記係合突部の弾性マウント軸方向の厚みｔ１と、前記レンズ収容溝の弾性マウント軸方向の厚みｔ２とを、ｔ１≦ｔ２の関係に設定した
ことを特徴とする請求項１に記載のレンズのマウント構造。
【請求項３】
複数枚の前記レンズが、それぞれ前記係合突部と前記レンズ収容溝とを用いて前記弾性マウントに多段に配設される
ことを特徴とする請求項１または２に記載のレンズのマウント構造。
【請求項４】
前記レンズ装着孔に前記係合突部と同数の係合凹部を設け、
該係合凹部に前記係合突部を弾性係合せしめた
ことを特徴とする請求項１〜３のいずれかに記載のレンズのマウント構造。
【請求項５】
前記弾性マウントの内周部に第２の弾性マウントを介して第２のレンズを配設するとともに、
前記第２の弾性マウントの外周部に３つ以上の第２の係合突部を等間隔に配設し、
前記弾性マウントの内周部に前記第２のレンズの外周部を収容する第２のレンズ収容溝を前記第２の係合突部と同一面上に周設し、
前記第２の係合突部を前記弾性マウントの内周部に弾性係合させて、該第２の係合突部の圧縮応力を第２の弾性マウントの半径方向内側に付与して第２の弾性マウントの一部を第２の膨出変形部分として前記第２のレンズ収容溝内に膨出変形させ、該第２の膨出変形部分にて前記レンズ収容溝内に収容されたレンズの外周部を弾持する
ことを特徴とする請求項１〜４のいずれかに記載のレンズのマウント構造。
【発明の詳細な説明】
【技術分野】
【０００１】
本発明は、拡大鏡スタンドやルーペなど、レンズを保持枠に弾性マウントを介して装着するレンズのマウント構造に関する。
【背景技術】
【０００２】
レンズを用いた拡大鏡スタンドやルーペ等にあっては、金属や硬質の合成樹脂で形成される保持枠に、ゴムや軟質合成樹脂製の弾性マウントを介してレンズを保持する構成が知られている。
例えば、拡大鏡スタンドでは、環状の保持枠の内部に環状照明灯を装着し、該保持枠の中央に形成されるレンズ装着孔にレンズを配して照明レンズユニットを構成した照明灯付き拡大鏡スタンドにおいて、前記レンズの外周部を環状の弾性マウントにて保持し、該弾性マウントを前記レンズ装着孔に着脱可能に係合して前記レンズを取り付ける技術が提案されている（例えば、特許文献１参照）。
【０００３】
さらにこの特許文献１では、前記弾性マウントの内周にレンズの外周を収容するレンズ用周溝を凹設し、該弾性マウントの外周に前記保持枠の上面と係合して弾性マウントを吊持するフランジ部を延設すること、あるいは、前記レンズ用周溝の上下いずれか一方を開口して、該レンズ用周溝の開口側に係止リングを係合するリング用周溝を凹設し、前記レンズ用周溝に複数のレンズとスペーサとを交互に装着するとともに、リング用周溝に係止リングを係合して前記レンズを抜け止めすること、あるいは、前記係止リングに、リング用周溝に係合される係合部と、この係合部の内側で前記レンズの外周を支承するレンズ受け部とを備え、該レンズ受け部を前記係合部の厚さに対していずれか一方に偏位して設けること、が記載されている。
【０００４】
【特許文献１】実公平５−１８７２９号公報
【発明の開示】
【発明が解決しようとする課題】
【０００５】
このような特許文献１では、レンズは周溝やスペーサによって弾性マウントに固定されるが、弾性マウントと保持枠とは単に係合すると述べられているだけで固定関係がない。このことは、特許文献１の明細書の実施例中にも、使用形態が水平から垂直の範囲内であることから脱落する虞が少なく、実用上何ら差し支えない、と記載されていることからも明らかである。
【０００６】
しかしながら、特許文献１のような拡大鏡スタンドでは、照明レンズユニットを垂直にして用いることがままあること、保持枠の基部が支持アームの軸回りに回動可能に締結される構造であるため、保持枠と支持アームとの締結力が弱まった状態で何らかの外力が加わると照明レンズユニットが支持アームの軸回りに回動して上下反転してしまうこと、拡大鏡スタンドを使用しない時には、作業テーブルの上方に位置する照明レンズユニットを後方へ移動させることがあるが、照明レンズユニットを勢いよく跳ね上げた場合に照明レンズユニットが上下反転してしまうことがあり、いずれの場合もレンズと弾性マウントとが保持枠から脱落してしまう虞がある。
さらに、本願発明が実施の対象の１つとするルーペでは、使用態様に限定がないために、弾性マウントとレンズとが保持枠から脱落してしまう虞が一層高い。
【０００７】
また、特許文献１の構成で複数枚のレンズを用いた場合には、構成部品の製作誤差や組み付け誤差から、レンズ同士の中心位置がズレてしまういわゆる心ズレが生じ、この心ズレによってレンズを通して見た対象物の像がボケたり歪むという不具合を招く。
本発明は、かかる実情を背景にしてなされたもので、その目的とするところは、レンズと弾性マウントと保持枠との組み付け状態を簡単な構造で確実に保持することのでき、さらに組み付け及び分解が簡便且つ確実に行えるレンズのマウント構造を安価に提供することにある。
【課題を解決するための手段】
【０００８】
上述の目的を達成するため、本発明は、レンズの外周部に環状の弾性マウントを装着し、該弾性マウントを剛性体で環状の保持枠の内部に収容して、前記レンズを弾性マウントを介して保持枠に保持するレンズのマウント構造において、前記弾性マウントの外周部に係合突部を３つ以上等間隔に配設し、前記弾性マウントの内周部にレンズ収容溝を形成し、該レンズ収容溝と前記係合突部とを内外同一面上に配置するとともに、前記係合突部を前記レンズ装着孔に弾性係合させて、該係合突部の圧縮応力を弾性マウントの半径方向内側に付与して弾性マウントの一部を前記レンズ収容溝内に膨出変形させ、該膨出変形部分にて前記レンズ収容溝内に収容されたレンズの外周部を弾持することを特徴としている。
【０００９】
本発明は、前記係合突部の弾性マウント軸方向の厚みｔ１と、前記レンズ収容溝の弾性マウント軸方向の厚みｔ２とを、ｔ１≦ｔ２の関係に設定することができる。本発明は、複数枚のレンズを、それぞれ前記係合突部とレンズ収容溝とを用いて弾性マウントに多段に配設してもよい。また、前記レンズ装着孔に係合凹部を３つ以上等間隔に形成し、該係合凹部を前記レンズ収容溝及び前記係合突部とともに内外同一面上に配置し、前記係合突部を前記係合凹部に弾性係合することもできる。
【００１０】
さらに、前記弾性マウントの内周部に第２の弾性マウントを介して第２のレンズを配設するとともに、前記第２の弾性マウントの外周部に３つ以上の第２の係合突部を等間隔に配設し、前記弾性マウントの内周部に前記第２のレンズの外周部を収容する第２のレンズ収容溝を前記第２の係合突部と同一面上に周設し、前記第２の係合突部を前記弾性マウントの内周部に弾性係合させて、該第２の係合突部の圧縮応力を第２の弾性マウントの半径方向内側に付与して第２の弾性マウントの一部を第２の膨出変形部分として前記第２のレンズ収容溝内に膨出変形させ、該第２の膨出変形部分にて前記レンズ収容溝内に収容されたレンズの外周部を弾持するようにしてもよい。
【００１１】
本発明は、弾性マウントの外周部に等間隔に設けた３つ以上の係合突部を剛性体であるレンズ装着孔または係合凹部に弾性係合させることにより係合突部が圧縮変形し、この圧縮変形で生じた保持枠との摩擦力で弾性マウントと保持枠とを確実に組み付けする。弾性マウントの係合突部は、弾性マウントの一部分のあるわずかな面積が保持枠と弾性係合するのみであるから、保持枠への組み付け及び分解が容易に行える。
特に、弾性マウント内のレンズは、弾性マウントを保持枠内部に組み付けすることにより係合突部が圧縮され、弾性マウントの一部がレンズ収容溝内に突出する膨出変形部分によって、初めて弾性マウントの所定位置に弾持されるものであって、弾性マウントのレンズ収容溝はレンズよりも大径に設定される。したがって、レンズを弾性マウントに組み付けする場合や交換等で取り外す場合に、レンズ収容溝が大径であることからこれらの作業が極めて簡便に行える。
【００１２】
保持枠との弾性係合によって係合突部に生じた圧縮応力は、係合突部内側の弾性マウントを半径方向内側に膨出変形させ、この膨出変形部分がレンズ収容溝内に突出してレンズ収容溝に収容されたレンズの外周部を弾持する。したがってレンズは、特別な構造や他の部材を用いることなく弾性マウントに支持される。
【００１３】
また、各係合突部に生じた圧縮応力は、弾性マウントの膨出変形部分を通してレンズの中心方向へ均等に作用し、レンズを弾性マウントの中央にセンタリングする。したがって、弾性マウントにレンズを複数枚組み込んだ場合には、これらのレンズの中心を合致させるので心ズレが防止される。
【００１４】
さらに、係合突部の弾性マウント軸方向の厚みｔ１を、係合凹部の弾性マウント軸方向の厚みｔ２とをｔ１≦ｔ２の関係、すなわち、係合突部の弾性マウント軸方向の厚みｔ１を、係合凹部の弾性マウント軸方向の厚みｔ２と同等もしくはこれよりも小さく設定することにより、係合突部の圧縮応力によって弾性マウントに生じる変形部分の殆どがレンズ収容溝内に膨出し、他の方向には分散しないため、レンズをマウントする力として確実に作用させる。
なお、厚みｔ１＞厚みｔ２の設定では、係合突部からの圧縮応力がレンズ収容溝以外の部分にも分散してしまい、圧縮応力をレンズの保持に有効利用できないばかりか、弾性マウントにいたずらな変形を与えるため、好ましくない。
係合突部と係合凹部は、３つ以上の複数とすることによって、係合突部の弾性応力をレンズに均等な力で作用させることができ、さらにレンズ収容溝は、弾性マウントに周状もしくは複数の凹部とすることでができる。
【発明の効果】
【００１５】
本発明のレンズのマウント構造によれば、レンズと弾性マウントと保持枠との組み付け及び分解が、従来よりも確実で簡便に行えるようになり、特に、レンズや弾性マウントが保持枠から脱落するのを確実に防止できて、拡大鏡スタンドやルーペを始め、レンズを保持枠に弾性マウントを介して組み付けするレンズ物品に幅広く対応が可能である。
また、レンズが組み付けされる弾性マウントのレンズ収容溝は、レンズよりも大径形成されるため、レンズの脱着が短時間で容易に行える。さらに、レンズと弾性マウントとの連結は、弾性マウント係合突部の圧縮変形を利用したもので専用の構造や他の部材が不要であり、弾性マウントと保持枠との組み付けを含めても構造がすこぶる簡単で、低コストでの実施が可能である。
【００１６】
また、弾性マウントの係合突部を保持枠の係合凹部に弾性係合することにより、保持枠から弾性マウントとレンズが脱落するのをより確実に防止できる。さらに、弾性マウントに複数のレンズを多段に組み付けした場合には、これらレンズの中心を合致させて心ズレを防止するので、レンズを通した像がボケたり歪むのを極力回避することができる。
【発明を実施するための最良の形態】
【００１７】
以下、本発明を照明灯付き拡大鏡スタンドに適用した形態例を図面に基づいて説明する。
図中、図１〜図７は第１形態例を示し、図１は拡大レンズと弾性マウントと保持枠との要部断面正面図、図２，図３はそれぞれ照明灯付き拡大鏡スタンドの斜視図、図４は照明レンズユニットの断面正面図、図５は弾性マウントの斜視図、図６は拡大レンズと弾性マウントとの断面平面図、図７は拡大レンズと弾性マウントと保持枠との要部断面平面図である。
図８は第２形態例を示す拡大レンズと弾性マウントと保持枠との要部断面正面図、図９は第３形態例を示す拡大レンズと弾性マウントと保持枠との要部断面正面図、図１０及び図１１は第４形態例を示し、図１０は照明レンズユニットの断面正面図、図１１は拡大レンズと弾性マウントと保持枠との要部断面正面図である。
【００１８】
図１〜図７の第１形態例に示す照明灯付き拡大鏡スタンド１は、作業テーブル２の一端部に立設した支柱３に支持アーム４が上下方向へ移動可能に突設されており、該支持アーム４に照明レンズユニット５が装着されている。
照明レンズユニット５は、支持アーム４の先端に軸着される環状の保持枠６の内外に、拡大レンズ７と環状照明灯８とを一体に組み付けして構成されており、環状照明灯８は、保持枠６の外側で下方を解放して設けられたシェード６ａにランプホルダ９を用いて支持され、また拡大レンズ７は、保持枠６のレンズ装着孔１０に弾性マウント１１を介して着脱自在に組み付けされている。
【００１９】
保持枠６は金属や硬質合成樹脂等の剛性体で、また弾性マウント１１はゴムや軟質合成樹脂等の弾性材で、それぞれ形成されている。保持枠６は、シェード６ａの内側壁を担う円筒体６ｂの内部を上述のレンズ装着孔１０としており、円筒体６ｂの上部に弾性マウント１１のフランジ１１ｂを収容する段部１２が設けられている。弾性マウント１１は、円筒部１１ａと、該円筒部１１ａの一端に連続するフランジ１１ｂとからなっており、円筒部１１ａの外径は、円筒体６ｂ内のレンズ装着孔１０よりもやや小径に形成され、円筒部１１ａの略中間部外周に３つの係合突部１１ｃが等間隔に設けられるとともに、同じく円筒部１１ａの内周部略中間位置にレンズ収容溝１３が周設されている。
【００２０】
係合突部１１ｃとレンズ収容溝１３とは、弾性マウント１１の中心軸Ｏ１と交差する半径方向の面Ｃ上に位置し、且つ係合突部１１ｃは、弾性マウント１１の中心軸Ｏ１を通る放射状の半径方向線Ｄ上に配設され、さらに係合突部１１ｃの弾性マウント１１の中心軸Ｏ１方向の厚みｔ１は、レンズ収容溝１３の弾性マウント１１の中心軸Ｏ１方向の厚みｔ２よりも薄く形成されている。
また係合突部１１ｃは、弾性マウント１１の周方向に長さを持ち、且つ弾性マウント１１の中心軸Ｏ１方向の断面が略半長円形に形成されている。レンズ収容溝１３は、拡大レンズ７よりもやや大径に形成されており、拡大レンズ７を収容した際にはレンズ収容溝１３の周壁と拡大レンズ７の外周部との間に隙間Ｃ１が設定される。
【００２１】
弾性マウント１１の中心軸Ｏ１から係合突部１１ｃの外面までの距離は、レンズ装着孔１０の半径よりも長く設定されており、弾性マウント１１をレンズ装着孔１０内に装着して、フランジ１１ｂを保持枠６の段部１２に収容した際には、係合突部１１ｃがレンズ装着孔１０に弾性係合して、拡大レンズ７と弾性マウント１１が保持枠６のレンズ装着孔１０から脱落するのを防止する。なお、レンズ７と弾性マウント１１の取り外しはこれと逆の手順で行う。
【００２２】
前述した通り、レンズ装着孔１０を有する保持枠６は金属等の剛性体で、また係合突部１１ｃを有する弾性マウント１１はゴム等の弾性材でそれぞれ形成されるため、係合突部１１ｃの弾性変形が、係合突部１１ｃの内側に位置する弾性マウント１１に半径方向内側の圧縮応力として作用する。これにより、弾性マウント１１の一部が膨出変形部分１１ｄとしてレンズ収容溝１３内に突出し、隙間Ｃ１を埋めて拡大レンズ７の外周部を弾持する。
【００２３】
このように拡大レンズ７は、保持枠６のレンズ装着孔１０に弾性マウント１１の弾性力をもっていわゆる締まり嵌めされる。また、図１，２，４に示す通常の使用形態においては下方向の抜けを、弾性マウント１１のフランジ１１ｂと保持枠６の段部１２との係合で抜け止めされ、さらにレンズ装着孔１０の軸方向双方の抜けを係合突部１１ｃとレンズ装着孔１０との弾性係合によって防止する。
【００２４】
また、図３に示すように、拡大レンズ７を垂直方向に立てて対象物１４を見ようとした場合にも、拡大レンズ７と弾性マウント１１とが保持枠６のレンズ装着孔１０から脱落するのを確実に防止できる。
さらに照明レンズユニット５が支持アーム４の軸回りに回動して上下反転したり、拡大鏡スタンド１の不使用時に照明レンズユニット５を作業テーブル２の後方へ勢いよく跳ね上げて照明レンズユニット５が上下反転した場合にも、拡大レンズ７と弾性マウント１１とがレンズ装着孔１０から脱落するのを有効に防止する。
【００２５】
各係合突部１１ｃから半径方向内側への圧縮応力は、３つの膨出変形部分１１ｄから弾性マウント１１の中心軸Ｏ１へ向けて均等に作用するため、拡大レンズ７は、その中心を弾性マウント１１の中心軸Ｏ１に合致させて保持される。
特に本形態例では、係合突部１１ｃの弾性マウント中心軸Ｏ１方向の厚みｔ１と、レンズ収容溝１３の弾性マウント中心軸Ｏ１方向の厚みｔ２とを、ｔ１＜ｔ２の関係に設定したことから、係合突部１１ｃの圧縮応力は、その全てが膨出変形部分１１ｄとしてレンズ収容溝１３内に突出し、他の方向には分散しないため、係合突部１１ｃの圧縮応力を拡大レンズ７のマウント力として確実に作用させる。
【００２６】
つぎに、本発明の第２〜第４形態例を説明する。なお、第２〜第４形態例において、前述の第１形態例と同一構成部分については同一符号を付して詳細な説明を省略する。
【００２７】
図８に示す第２形態例では、前記第１形態例のフランジ１１ｂと段部１２を廃止し、保持枠６のレンズ装着孔１０に弾性マウント１１の係合突部１１ｃと同じ３つの係合凹部２０を等間隔に設けて、係合凹部２０のそれぞれに係合突部１１ｃを弾性係合するようにしており、これ以外は第１形態例と同様に構成されている。
【００２８】
係合突部１１ｃと係合凹部２０との弾性係合は、第１形態例と同様に係合突部１１ｃの圧縮応力を弾性マウント１１の半径方向内側に付与し、弾性マウント１１の一部をレンズ収容溝１３内に膨出変形部分１１ｄとして突出させ、該膨出変形部分１１ｄにてレンズ収容溝１３に収容された拡大レンズ７の外周部を弾持するように設定されている。
【００２９】
本形態例は、第１形態例のフランジ１１ｂと段部１２を廃止しつつも、弾性マウント１１の係合突部１１ｃを保持枠６の係合凹部２０に弾性係合させることによって、拡大レンズ７と弾性マウント１１とを保持枠６のレンズ装着孔１０の所定位置へ確実に位置決めし、且つ拡大レンズ７と弾性マウント１１との脱落を有効に防止するようにしている。
【００３０】
図９に示す第３形態例では、弾性マウント１１の内部に２枚の拡大レンズ７，７を上下二段に組み込んだ高倍率用の照明灯付き拡大鏡スタンドの事例を示しており、各拡大レンズ７は、それぞれ第１形態例と同じくレンズ収容溝１３を用いて弾性マウント１１に組み付けされ、また拡大レンズ７，７を組み込んだ弾性マウント１１は、各拡大レンズ７の半径方向外側に位置する係合突部１１ｃをレンズ装着孔１０に弾性係合させて保持枠６に装着される。
【００３１】
係合突部１１ｃは、レンズ装着孔１０との弾性係合によって半径方向内側へ弾性変形し、係合突部１１ｃの内側に位置する弾性マウント１１に半径方向内側の圧縮応力を付与し、弾性マウント１１の一部を膨出変形部分１１ｄとしてレンズ収容溝１３内に突出させて、それぞれの拡大レンズ７の外周部を弾持する。
また、各係合突部１１ｃから半径方向内側へ作用する圧縮応力は、膨出変形部分１１ｄから弾性マウント１１の中心軸Ｏ１へ向けて作用し、双方の拡大レンズ７，７を弾性マウント１１の中心軸Ｏ１上に位置合わせするよう支持する。これにより、拡大レンズ７，７の中心が中心軸Ｏ１上に合致し、心ズレによる像のボケや歪みといった不具合がなくなる。
【００３２】
図１０，図１１に示す第４形態例では、拡大レンズ７と弾性マウント１１とを、第１形態例と同様に係合突部１１ｃや膨出変形部分１１ｄ，レンズ収容溝１３等を用いて保持枠６に組み付けしており、さらに弾性マウント１１の内部を第２のレンズ装着孔３０となし、該レンズ装着孔３０の拡大レンズ７よりも上方位置に第２の係合凹部３１を等間隔に設けて、該係合凹部３１に第２の拡大レンズ３２が第２の弾性マウント３３を介して組み付けされている。
【００３３】
第２の弾性マウント３３は、フランジを持たない短円筒状に形成されており、その外周部に係合凹部３１と同数の第２の係合突部３３ａが等間隔に配設され、また内周部に第２のレンズ収容溝３４が周設されている。
第２の係合突部３３ａと第２のレンズ収容溝３４とは、第１，第２弾性マウント１１，３２の中心軸Ｏ１と交差する半径方向の面Ｅ上に位置し、且つ第２の係合突部３３ａは、中心軸Ｏ１を通る放射状の半径方向線（図示しない）上に配設されており、さらに第２の係合突部３３ａの弾性マウント中心軸方向の厚みｔ１は、第２のレンズ収容溝３４の弾性マウント中心軸方向の厚みｔ２よりも薄く形成されてい
【００３４】
第２の係合突部３３ａは、第２の弾性マウント３３の周方向に長さを持ち、且つ弾性マウント中心軸方向の断面が略半長円形に形成されており、第２のレンズ収容溝３４は、第２の拡大レンズ３２よりもやや大径に形成されており、第２の拡大レンズ３２を収容した際には、第２のレンズ収容溝３４の周壁と第２の拡大レンズ３２の外周部との間に隙間が設定される。第２の拡大レンズ３２を装着した第２の弾性マウント３３は、第２の係合突部３３ａを第２の係合凹部３１に弾性係合することにより弾性マウント１１に組み付けされ、拡大レンズ７や弾性マウント１１と同様に上下反転した場合にもみだりに脱落することがない。
る。
【００３５】
また、第２の弾性マウント３３の中心軸Ｏ１から第２の係合突部３３ａの外面までの距離は、第２のレンズ装着孔３０の半径よりも長く設定されており、第２の係合突部３３ａを第２の係合凹部３１に弾性係合させて、第２の弾性マウント３３を弾性マウント１１内に装着した際には、第２の係合凹部３１と弾性係合する係合突部３３ａが、その内側に位置する第２の弾性マウント３３に半径方向内側の圧縮応力を付与する。これにより、第２の弾性マウント３３の一部を第２のレンズ収容溝３４内に第２の膨出変形部分３３ｂとして突出させ、該膨出変形部分３３ｂにて第２のレンズ収容溝３４に収容された第２の拡大レンズ３２の外周部を弾持する。
【００３６】
また、各第２の係合突部３３ａから半径方向内側へ作用する圧縮応力は、第２の膨出変形部分３３ｂから第２の弾性マウント３３の中心軸Ｏ１へ向けて作用し、下側の拡大レンズ７とともに第２の拡大レンズ３２の中心を中心軸Ｏ１上に位置合わせするよう支持する。これにより、双方の拡大レンズ７，３２の中心が中心軸Ｏ１上に合致するので、心ズレによる像のボケや歪みといった不具合がなくなる。
【図面の簡単な説明】
【００３７】
【図１】本発明の第１形態例を示す拡大レンズと弾性マウントと保持枠との要部断面正面図である。
【図２】本発明の第１形態例を示す照明灯付き拡大鏡スタンドの斜視図である。
【図３】本発明の第１形態例を示す照明灯付き拡大鏡スタンドの斜視図である。
【図４】本発明の第１形態例を示す照明レンズユニットの断面正面図である。
【図５】本発明の第１形態例を示す弾性マウントの斜視図である。
【図６】本発明の第１形態例を示す拡大レンズと弾性マウントとの断面平面図である。
【図７】本発明の第１形態例を示す拡大レンズと弾性マウントと保持枠との要部断面平面図である。
【図８】本発明の第２形態例を示すは第２形態例を示す拡大レンズと弾性マウントと保持枠との要部断面正面図である。
【図９】本発明の第３形態例を示す第３形態例を示す拡大レンズと弾性マウントと保持枠との要部断面正面図である。
【図１０】本発明の第４形態例を示す照明レンズユニットの断面正面図である。
【図１１】本発明の第４形態例を示す拡大レンズと弾性マウントと保持枠との要部断面正面図である。
【符号の説明】
【００３８】
１…照明灯付き拡大鏡スタンド
２…作業テーブル
４…支持アーム
５…照明レンズユニット
６…保持枠
７…拡大レンズ（本発明のレンズ）
８…環状照明灯
１０…レンズ装着孔
１１…弾性マウント
１１ａ…円筒部
１１ｂ…フランジ
１１ｃ…係合突部
１１ｄ…膨出変形部分
１３…レンズ収容溝
２０…係合凹部
３０…第２のレンズ装着孔
３１…第２の係合凹部
３２…第２の拡大レンズ（本発明のレンズ）
３３…第２の弾性マウント
３３ａ…第２の係合突部
３３ｂ…第２の膨出変形部分
３４…第２のレンズ収容溝
Ｏ１…弾性マウント１１の中心軸
Ｃ，Ｅ…中心軸Ｏ１と交差する半径方向の面Ｃ
Ｃ１…レンズ収容溝１３の周壁と拡大レンズ７の外周部との間の隙間
Ｄ…半径方向線
ｔ１…係合突部１１ｃの弾性マウント中心軸方向の厚み
ｔ１…第２の係合突部３３ａの弾性マウント中心軸方向の厚み
ｔ２…レンズ収容溝１３の弾性マウント中心軸方向の厚み
ｔ２…第２のレンズ収容溝３４の弾性マウント中心軸方向の厚み
【図１】
2008096649.tif 000003
【図２】
2008096649.tif 000004
【図３】
2008096649.tif 000005
【図４】
2008096649.tif 000006
【図５】
2008096649.tif 000007
【図６】
2008096649.tif 000008
【図７】
2008096649.tif 000009
【図８】
2008096649.tif 000010
【図９】
2008096649.tif 000011
【図１０】
2008096649.tif 000012
【図１１】
2008096649.tif 000013